(57)【要約】      （修正有）【課題】パネル筐体の傾きの保持に使用する部材を容易に組付可能なパネル装置を提供する。【解決手段】装置は、パネル筐体を左右方向９に沿った軸線周りに回動可能に支持するプリンタ筐体１４と、プリンタ筐体１４に設けられた複数の凹部９５と、パネル筐体に回動可能に支持され各凹部９５と係合可能な第２係合部材９２と、第２係合部材９２を凹部９５側へ付勢するねじりコイルばね９３と、パネル筐体における第２係合部材９２よりも前側カバー２６側に設けられた当接部９４とを備える。ねじりコイルばね９３は、当接部９４と当接するコイル部５２と、コイル部５２から延びて第２係合部材９２と当接する第１アーム部５３と、コイル部５２から第１アーム部５３と異なる向きへ延びた第２アーム部５４とを有する。パネル筐体は、当接部９４の右方に設けられ、第２アーム部５４を支持する支持部９０を備える。【選択図】図１０
2015174341.tif 000002
【特許請求の範囲】
【請求項１】
表示部または入力部が表面に設けられたパネル筐体と、
上記パネル筐体を第１回動軸線周りに回動可能に支持する本体と、
上記本体に設けられており、上記第１回動軸線を中心とする周方向に沿って間隔を空けて形成された複数の係合部を有する第１係合部材と、
上記パネル筐体によって上記第１回動軸線と交差する方向に沿った第２回動軸線周りに回動可能に支持されており、上記複数の係合部の各々と係合可能な第２係合部材と、
上記第２係合部材を上記係合部側へ付勢する付勢部材と、
上記パネル筐体において、上記第１回動軸線及び上記第２回動軸線と直交する直交方向において上記第２係合部材よりも上記表面側に設けられており、上記付勢部材と当接する当接部と、を備え、
上記付勢部材は、
上記当接部と当接する被当接部と、
上記被当接部から延びており、上記第２係合部材と当接する第１アーム部と、
上記被当接部から上記第１アーム部と異なる向きへ延びた第２アーム部と、を有し、
上記パネル筐体は、
上記第１回動軸線と平行な方向において上記当接部と異なる位置に設けられ、上記第２アーム部を支持する支持部を備えるパネル装置。
【請求項２】
上記付勢部材は、上記被当接部がコイル形状のねじりコイルばねであり、
上記当接部は、上記被当接部に挿通されている請求項１に記載のパネル装置。
【請求項３】
上記第２アーム部における上記被当接部から延出先端までの直線距離は、上記第１アーム部における上記被当接部から延出先端までの直線距離よりも長い請求項１または２に記載のパネル装置。
【請求項４】
上記第２係合部材は、上記第１アーム部が挿入される溝部を有する請求項１から３のいずれかに記載のパネル装置。
【請求項５】
上記溝部は、上記第２回動軸線と交差する位置に設けられている請求項４に記載のパネル装置。
【請求項６】
上記当接部及び上記支持部は、上記第１回動軸線と平行な方向に沿って配置されている請求項１から５のいずれかに記載のパネル装置。
【請求項７】
上記当接部は、上記第１回動軸線と平行な方向において、上記第２回動軸線と異なる位置に設けられている請求項１から６のいずれかに記載のパネル装置。
【発明の詳細な説明】
【技術分野】
【０００１】
本発明は、本体と当該本体に回動可能に設けられたパネル筐体とを備えるパネル装置に関する。
【背景技術】
【０００２】
プリンタ、スキャナ、コピー機、ファクシミリ機等において、液晶タッチパネルなどのパネルが搭載されたパネル筐体が本体に回動可能に支持されたパネル装置が提案されている。このようなパネル装置には、パネル筐体を所定の傾きに保持できるようにチルト機構が備えられている。
【０００３】
上述のようなパネル装置の一例として、特許文献１には、ばねが係合爪をラチェット歯に係合する向きへ付勢することによって、装置の本体に対して回動可能なパネル筐体の傾きを所定角度に保持するチルト機構を備えた記録装置が開示されている。
【先行技術文献】
【特許文献】
【０００４】
【特許文献１】特開２０１０−５９４１号公報
【発明の概要】
【発明が解決しようとする課題】
【０００５】
しかしながら、特許文献１に開示された記録装置のように、パネル筐体の傾きの保持のために係合爪の他にばねを使用する構成の場合、記録装置の組立時において、組立作業者は、ばねを係合爪にひっかけるなどした状態で、係合爪とばねとを一緒に記録装置に組み付けることを要求されることがある。すると、組立作業者は、ばねの弾性力に抗った状態で、係合爪を記録装置に組み付けることを要求されることがある。これにより、ばねの弾性力が負荷となり、係合爪の組み付け作業が困難となってしまうおそれがある。
【０００６】
本発明は、上記問題に鑑みてなされたものであり、その目的は、装置組立時において、パネル筐体の傾きの保持に使用する部材が組み付けられる際に、当該部材を付勢する付勢部材が組立作業者に対して与える負荷を低減するパネル装置を提供することにある。
【課題を解決するための手段】
【０００７】
(1)  本発明に係るパネル装置は、表示部または入力部が表面に設けられたパネル筐体と、上記パネル筐体を第１回動軸線周りに回動可能に支持する本体と、上記本体に設けられており、上記第１回動軸線を中心とする周方向に沿って間隔を空けて形成された複数の係合部を有する第１係合部材と、上記パネル筐体によって上記第１回動軸線と交差する方向に沿った第２回動軸線周りに回動可能に支持されており、上記複数の係合部の各々と係合可能な第２係合部材と、上記第２係合部材を上記係合部側へ付勢する付勢部材と、上記パネル筐体において、上記第１回動軸線及び上記第２回動軸線と直交する直交方向において上記第２係合部材よりも上記表面側に設けられており、上記付勢部材と当接する当接部と、を備える。上記付勢部材は、上記当接部と当接する被当接部と、上記被当接部から延びており、上記第２係合部材と当接する第１アーム部と、上記被当接部から上記第１アーム部と異なる向きへ延びた第２アーム部と、を有する。上記パネル筐体は、上記第１回動軸線と平行な方向において上記当接部と異なる位置に設けられ、上記第２アーム部を支持する支持部を備える。
【０００８】
本構成によれば、以下のような手順で第２係合部材及び付勢部材がパネル筐体に組み付け可能である。つまり、第１の手順として、第２係合部材がパネル筐体に組み付けられる。これにより、第１の手順においては、付勢部材によって負荷を受けることなく、第２係合部材をパネル筐体に組み付けることができる。
【０００９】
第２の手順として、付勢部材の被当接部がパネル筐体の当接部に当接されるとともに、付勢部材の第１アーム部が第２係合部材に当接される。
【００１０】
第３の手順として、付勢部材の第２アーム部が支持部に支持される。第３の手順において第２アーム部を支持部に支持させるために動かすと、第２アーム部には元の位置に戻ろうとする弾性力が発生する。しかし、この段階では、付勢部材は当接部及び第２係合部材と当接された状態、つまりパネル筐体及び第２係合部材の間に取り付けられた状態であるため、第２アーム部を弾性力に抗って支持部に支持させることは組立作業者にとってさほど困難ではない。
【００１１】
以上のように、本構成によれば、第２係合部材及び付勢部材をパネル筐体に容易に組み付けることができる。
【００１２】
(2)  上記付勢部材は、上記被当接部がコイル形状のねじりコイルばねである。上記当接部は、上記被当接部に挿通されている。
【００１３】
ねじりコイルばねは、回動する第２係合部材に弾性力を作用させて付勢するために好適な部材である。また、パネル筐体は、被当接部に当接部が挿通されることによって、ねじりコイルばねを容易に支持可能である。
【００１４】
(3)  上記第２アーム部における上記被当接部から延出先端までの直線距離は、上記第１アーム部における上記被当接部から延出先端までの直線距離よりも長い。
【００１５】
本構成によれば、上記（１）で説明した第３の手順において、第２アーム部を弾性力に抗って曲げつつ支持部に支持させることが容易である。
【００１６】
(4)  上記第２係合部材は、上記第１アーム部が挿入される溝部を有する。
【００１７】
本構成によれば、第１アーム部が第２係合部材に当接した状態において、第１アーム部を溝部に挿入させることができるため、付勢部材の位置が第２係合部材に対してずれることを防止できる。これにより、付勢部材の第２係合部材に対する作用点の位置を正確に定めることができる。
【００１８】
(5)  上記溝部は、上記第２回動軸線と交差する位置に設けられている。
【００１９】
本構成によれば、第１回動軸線と平行な方向において、第２係合部材と付勢部材の被当接部及び第１アーム部とが互いに近い位置に設けられる。つまり、第２係合部材と付勢部材とを互いに近い位置に配置できる。その結果、パネル筐体を第１回動軸線と平行な方向において小型化することができる。
【００２０】
(6)  上記当接部及び上記支持部は、上記第１回動軸線と平行な方向に沿って配置されている。
【００２１】
本構成によれば、第２アーム部が第１回動軸線と略平行な方向に延びた状態で保持されるため、付勢部材が支持されたパネル筐体を、直交方向において小型化することができる。
【００２２】
(7)  上記当接部は、上記第１回動軸線と平行な方向において、上記第２回動軸線と異なる位置に設けられている。
【００２３】
本構成によれば、付勢部材を組み付ける際に、第１アーム部が直交方向と平行となるような状態で、被当接部を当接部に当接させることができるように、パネル装置６０を構成することができる。そうすると、第２係合部材のパネル筐体への組み付け後における付勢部材のパネル筐体への組み付け時、つまり上記（１）で説明した第２の手順時に、付勢部材が第２係合部材を直交方向において本体側へ押してしまうことによって、第２係合部材がパネル筐体から外れてしまうことを防止できる。
【発明の効果】
【００２４】
本発明に係るパネル装置によれば、装置組立時において、第２係合部材が組み付けられる際に、第２係合部材を付勢する付勢部材が組立作業者に対して与える負荷を低減できる。
【図面の簡単な説明】
【００２５】
【図１】図１は、複合機１０の外観斜視図である。
【図２】図２は、プリンタ部１２の内部構造を模式的に示す縦断面図である。
【図３】図３は、パネル装置６０の外観斜視図である。
【図４】図４は、パネル装置６０の分解斜視図である。
【図５】図５は、複合機１０を模式的に示す右側面図であり、（Ａ）にはパネル筐体７０が第１位置の状態が示されており、（Ｂ）にはパネル筐体７０が第２位置の状態が示されている。
【図６】図６は、後側カバー２７を前面４１側から見た斜視図である。
【図７】図７は、後側カバー２７を前面４１とは反対側から見た斜視図である。
【図８】図８（Ａ）は、後側カバー２７の背面図であり、図８（Ｂ）は、後側カバー２７の正面図である。
【図９】図９は、第２係合部材９２の外観斜視図である。
【図１０】図１０（Ａ）は、パネル装置６０における第２係合部材９２及びねじりコイルばね９３周辺を示す断面図であり、図１０（Ｂ）は、パネル装置６０における第２係合部材９２及び板ばね１００周辺を示す断面図である。
【発明を実施するための形態】
【００２６】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。また、以下の各部材の説明では、当該各部材が複合機１０に組み付けられた状態で、上下方向７と前後方向８と左右方向９とが定義されるものとする。
【００２７】
［複合機１０の全体構成］
図１に示されるように、複合機１０は、概ね直方体に形成されている。複合機１０は、その上部に、記録用紙などの原稿に記録された画像をイメージセンサによって読み取って画像データを取得するスキャナ部１１を備えている。また、複合機１０は、その下部に、上記画像データなどに基づいて、記録用紙１５（図２参照）に画像を記録するプリンタ部１２を備えている。
【００２８】
スキャナ部１１は、所謂フラットベッドスキャナとして構成されているが、ここでは、スキャナ部１１の内部構成の詳細な説明は省略される。プリンタ部１２は、概ね直方体に形成されており、正面に開口１３が形成されたプリンタ筐体１４（本発明の本体の一例）を有している。
【００２９】
図２に示されるように、プリンタ部１２におけるプリンタ筐体１４の内部には、給紙トレイ２０、給紙ローラ１９、搬送ローラ対６３及び排出ローラ対６６、及び記録部２４などが配置されている。給紙トレイ２０は、開口１３から前後方向８に挿入及び脱抜可能であって内部に記録用紙１５が収容される。給紙ローラ１９は、給紙トレイ２０に収容された記録用紙１５を搬送路２３へ給送する。搬送ローラ対６３及び排出ローラ対６６は、搬送路２３へ給送された記録用紙１５を搬送路２３に沿って搬送させる。記録部２４は、スキャナ部１１によって原稿から読み取られた画像データなどに基づいて、搬送路２３を搬送される記録用紙１５に画像を記録する。
【００３０】
画像が記録された記録用紙１５は、給紙トレイ２０の上方に設けられた排紙トレイ２５に排出され、排紙トレイ２５に支持される。ここで、排紙トレイ２５は、給紙トレイ２０の上方に給紙トレイ２０と重ねられて設けられており、給紙トレイ２０と一体に開口１３に挿入及び脱抜される。
【００３１】
［搬送路２３］
図２に示されるように、搬送路２３は、給紙トレイ２０の後端部を基点として、下方から上方に延びつつＵターンしてから、前向きに延びて排紙トレイ２５に至る通路である。搬送路２３は、所定間隔を隔てて互いに対向する第１ガイド部材３１及び第２ガイド部材３２によって構成される空間である。記録用紙１５は、搬送路２３を、図２に破線の矢印で示される向きである搬送向き１６に搬送される。
【００３２】
［搬送ローラ対６３及び排出ローラ対６６］
図２に示されるように、搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送向き１６の下流側には、排出ローラ６４及び拍車ローラ６５よりなる排出ローラ対６６が設けられている。拍車ローラ６５は、ばねなどの弾性部材（不図示）によって排出ローラ６４のローラ面に圧接されている。
【００３３】
搬送ローラ６１及び排出ローラ６４は、搬送用モータ（不図示）から駆動力が伝達されることによって回転する。駆動力が伝達された搬送ローラ６１及び排出ローラ６４は、ピンチローラ６２及び拍車ローラ６５との間に記録用紙１５を挟持しつつ搬送向き１６へ搬送する。
【００３４】
［記録部２４］
図２に示されるように、記録部２４は、搬送路２３の上方に配置されている。記録部２４は、搬送路２３に対向する位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動しながら、搬送路２３に沿って搬送される記録用紙１５に向かってノズル３６からインク滴が吐出される。これにより、記録用紙１５に画像が記録される。
【００３５】
なお、本実施形態において、記録部２４が記録用紙１５に画像を記録する方式は、インクジェット記録方式であるが、インクジェット記録方式に限らず、例えば電子写真方式などであってもよい。
【００３６】
［パネル装置６０の全体構成］
図１、図３、及び図４に示されるように、複合機１０には、パネル装置６０が搭載されている。パネル装置６０は、上述したプリンタ筐体１４（図１参照）と、プリンタ筐体１４に回動可能に支持されたパネル筐体７０と、パネル筐体７０を所定の回転角度に保持する保持機構８１（図３及び図４参照）と、を備えている。
【００３７】
［パネル筐体７０］
図５に示されるように、パネル筐体７０の上端部近傍は、プリンタ筐体１４の前面４１を構成する部材によって回動可能に軸支されている。図５〜図７に示されるように、パネル筐体７０の上端部近傍の左右方向９の両端には、外側に延びた突起７１が形成されている。つまり、突起７１は、左右方向９に沿って延びている。プリンタ筐体１４において、パネル筐体７０の右端から延びた突起７１と対向する位置には、孔（不図示）が形成されている。突起７１が当該孔に挿通されることにより、パネル筐体７０は、突起７１の延出方向（左右方向９に平行な方向）に沿った第１回動軸線８７（図６参照）周りに回動可能に、プリンタ筐体１４によって支持されている。
【００３８】
パネル筐体７０は、図５（Ａ）に示される第１位置と、図５（Ｂ）に示される第２位置との間で回動可能である。第１位置のパネル筐体７０は、その表面である前面７２がプリンタ筐体１４の前面４１に沿っている。第２位置のパネル筐体７０は、その回動先端が第１位置よりも上方に位置している。
【００３９】
なお、パネル筐体７０の突起７１は、パネル筐体７０の上端部近傍以外に設けられていてもよく、例えば、パネル筐体７０の下端部近傍に設けられていてもよい。また、パネル筐体７０の第１回動軸線８７は、左右方向９以外に沿って延びていてもよく、例えば、上下方向７に沿って延びていてもよい。
【００４０】
パネル筐体７０は、後側カバー２７（図６及び図７参照）と、前側カバー２６（図１参照）とを備えている。
【００４１】
図６及び図７に示されるように、後側カバー２７は、概ね直方体の箱形状である。後側カバー２７は、後板７３と、後板７３から前側カバー２６側へ立設された上側板７４、下側板７５、右側板７６、及び左側板７７とで構成されている。上述した突起７１は、右側板７６及び左側板７７から突出している。
【００４２】
後側カバー２７の内部には、タッチパネルの液晶パネル２８（図１参照）と、電源キー５１（図１参照）と、液晶パネル２８及び電源キー５１の制御回路基板（不図示）などが配置されている。液晶パネル２８、電源キー５１、及び制御回路基板は、後板７３に取り付けられている。タッチパネルは、所定の情報を液晶パネル２８に表示するとともに、液晶パネル２８に表示されたキーが押圧されることによって複合機１０の動作の指示が入力される。つまり、タッチパネルは、本発明の表示部及び入力部の一例である。また、電源キー５１が押圧されることによって、複合機１０の電源のオンオフが切り替えられる。つまり、電源キー５１は、本発明の入力部の一例である。
【００４３】
図４、図６、及び図８に示されるように、後板７３には、開口３４が形成されている。図４及び図６に示されるように、開口３４の左右両側には、後板７３からパネル筐体７０の外側（前側カバー２６と反対側）へ突出した一対の凸部７８、７９が設けられており、開口３４の上下両側には、後板７３からパネル筐体７０の外側（前側カバー２６と反対側）へ突出し且つ一対の凸部７８、７９を繋ぐ一対の凸部８２、８３が設けられている。
【００４４】
凸部８３には、パネル筐体７０が第１回動軸線８７を中心として回動する場合の径方向５に突出した突起８４が設けられている。凸部８２には、第１回動軸線８７の延出方向（左右方向９）及び径方向５の双方と直交する直交方向６に切り欠かれた切り欠き８５が設けられている。突起８４及び切り欠き８５は、径方向５において互いに対向している。
【００４５】
後板７３における凸部７９の右方には、後板７３からパネル筐体７０の外側（前側カバー２６と反対側）へ突出した凸部８６が設けられている。凸部７９と凸部８６とは、互いに左右方向９に隙間を空けて配置されており、当該隙間には、後述する第１係合部材９１が配置される。
【００４６】
図１に示される前側カバー２６は、板状の部材であり、後側カバー２７における各側板７４、７５、７６、７７の立設先端面に取り付けられる。これにより、パネル筐体７０は、内部空間を有する概ね直方体の部材として構成される。そして、この直方体のパネル筐体７０において、後側カバー２７の後板７３と前側カバー２６とは対向している。また、液晶パネル２８、電源キー５１、及び制御回路基板は、パネル筐体７０の内部空間に配置されている。
【００４７】
図７、図８、及び図１０（Ａ）に示されるように、後側カバー２７における開口３４の直交方向６の前側カバー２６側には、当接部９４が設けられている。当接部９４は上側板７４から径方向５に沿ってパネル筐体７０の回動先端へ向けて突出した突起である。図１０（Ａ）に示されるように、当接部９４の直交方向６における位置は、後述する第２係合部材９２よりも前側カバー２６側である。
【００４８】
図７に示されるように、後側カバー２７の上側板７４には、支持部９０が設けられている。支持部９０は、上側板７４から径方向５に沿ってパネル筐体７０の回動先端へ向けて突出し、且つ突出先端が後板７３側へ屈曲した突起である。
【００４９】
図７、図８、及び図１０（Ａ）に示されるように、本実施形態において、支持部９０は、当接部９４よりも右方に設けられている。なお、支持部９０は、当接部９４よりも左方に設けられていてもよい。つまり、支持部９０の左右方向９における位置は、当接部９４と異なる位置であればよい。
【００５０】
図１０（Ａ）に示されるように、支持部９０において、後述するねじりコイルばね９３の第２アーム部５４が引っ掛けられた際にねじり第２アーム部５４と当接する部分は、直交方向６において支持部９０と同位置である。
【００５１】
前側カバー２６が後側カバー２７に取り付けられた状態において、前側カバー２６における後側カバー２７と反対側の面は、パネル筐体７０の前面７２（図１参照）に相当する。そして、図１に示されるように、この前面７２には、開口２９、３０が形成されている。開口２９は、前側カバー２６が後側カバー２７に取り付けられた際に、液晶パネル２８と対向する位置に形成されている。開口３０は、前側カバー２６が後側カバー２７に取り付けられた際に、電源キー５１と対向する位置に形成されている。これにより、前側カバー２６が後側カバー２７に取り付けられた状態において、液晶パネル２８及び電源キー５１が前側カバー２６から露出した状態となる。つまり、パネル筐体７０の前面７２に、液晶パネル２８及び電源キー５１が設けられた状態となる。
【００５２】
［保持機構８１］
図３及び図４に示されるように、保持機構８１は、第１係合部材９１と、第２係合部材９２と、ねじりコイルばね９３（本発明の付勢部材の一例）と、上述した当接部９４（図７参照）と、上述した支持部９０（図７参照）とを備えている。
【００５３】
［第１係合部材９１］
図４に示されるように、第１係合部材９１は、概ね板形状の部材である。第１係合部材９１は、プリンタ筐体１４に設けられている。詳細には、第１係合部材９１は、プリンタ筐体１４の前上部に固定されている。第１係合部材９１の右面には、第１回動軸線８７（図６参照）を中心とする周方向に沿って間隔を空けて並んだ複数の凹部９５（本発明の係合部の一例）が形成されている。
【００５４】
［第２係合部材９２］
図９に示されるように、第２係合部材９２は、概ね直方体形状の本体に溝や突起などが形成された部材である。第２係合部材９２は、溝部９６と、突起９７と、凸部９８と、凹部９９とを備えている。なお、以下の第２係合部材９２の説明では、第２係合部材９２が図３に示される状態であるとして、各向き及び各方向が示される。
【００５５】
溝部９６は、第２係合部材９２の右面に、直交方向６に延びた状態で形成されている。溝部９６は、面９６Ａと第１側面９６Ｂと第２側面９６Ｃとによって構成されている。突起９７は、第２係合部材９２の左面から左方に延びている。凸部９８は、第２係合部材９２の上面（パネル筐体７０の回動基端側の面）から径方向５に突出している。凹部９９は、第２係合部材９２の下面（パネル筐体７０の回動先端側の面）から径方向５に凹んでいる。凸部９８と凹部９９とは径方向５に沿って設けられている。
【００５６】
第２係合部材９２は、凸部９８が後側カバー２７の切り欠き８５に嵌合され且つ後側カバー２７の突起８４が凹部９９に挿入されることによって、径方向５と平行な方向に沿った第２回動軸線８８（図６参照）周りに回動可能に、後側カバー２７によって支持される。なお、第２回動軸線８８は、パネル筐体７０の回動軸線である第１回動軸線８７と交差する方向に沿っていることを条件として、径方向５と平行な方向（第１回動軸線８７と直交する方向）に沿っていなくてもよい。
【００５７】
図１０（Ａ）に示されるように、第２回動軸線８８の直交方向６における位置は、溝部９６を構成する面９６Ａの直交方向６における一端と他端との間である。また、第２回動軸線８８の左右方向９における位置は、面９６Ａと同一である。以上より、直交方向６に沿った溝部９６の面９６Ａと、径方向５に沿った第２回動軸線８８とは、互いに直交する位置関係である。なお、溝部９６の面９６Ａと第２回動軸線８８は、互いに交差する位置関係であるならば、９０度以外の角度で交差していてもよい。
【００５８】
また、第２回動軸線８８は、当接部９４よりも左方である。なお、第２回動軸線８８は、当接部９４よりも右方や同位置であってもよい。
【００５９】
図９に示される突起９７は、第１係合部材９１の凹部９５と左右方向９において対向する位置に設けられている。パネル筐体７０が第１回動軸線８７（図６参照）周りに回動することによって、突起９７は、図３に示されるように、複数の凹部９５の各々と対向する位置に移動する。突起９７は、対向する凹部９５に挿入することによって、凹部９５と係合可能である。突起９７が複数の凹部９５の何れかに挿入することによって、パネル筐体７０は、突起９７が挿入された凹部９５の位置に応じた回動角度に保持される。
【００６０】
［ねじりコイルばね９３］
図４に示されるように、ねじりコイルばね９３は、コイル形状のコイル部５２（本発明の被当接部の一例）と、コイル部５２の一端から延びた第１アーム部５３と、コイル部５２の他端から第１アーム部５３と異なる向きへ延びた第２アーム部５４とを備えている。ねじりコイルばね９３は、第１アーム部５３と第２アーム部５４との離間距離が変動するように弾性変形するものである。
【００６１】
図１０（Ａ）に示されるように、第２アーム部５４の長さ、つまりコイル部５２から第２アーム部５４の延出先端までの直線距離Ｌ２は、第１アーム部５３の長さ、つまりコイル部５２から第１アーム部５３の延出先端までの直線距離Ｌ１よりも長い。
【００６２】
ねじりコイルばね９３は、以下に詳述するように、後側カバー２７及び第２係合部材９２によって支持される。つまり、当接部９４がコイル部５２に挿入される。これにより、当接部９４がコイル部５２と当接する。また、第１アーム部５３は、コイル部５２から直交方向６に沿って前側カバー２６から離間する向きへ延びるように配置される。このとき、第１アーム部５３は、第２係合部材９２の溝部９６に挿入される。これにより、第１アーム部５３は、溝部９６の面９６Ａと当接する。また、これにより、第１アーム部５３の落下が溝部９６を構成する第１側面９６Ｂまたは第２側面９６Ｃによって防止される。また、第２アーム部５４は、支持部９０の突出先端の屈曲した部分に引っ掛けられることによって、支持部９０に支持される。これにより、第２アーム部５４の落下が防止される。
【００６３】
このように、ねじりコイルばね９３は、その両端部（第１アーム部５３及び第２アーム部５４）の落下が溝部９６及び支持部９０によって防止されるとともに、その中央部（コイル部５２）が当接部９４によって位置決めされることによって、後側カバー２７及び第２係合部材９２によって支持される。
【００６４】
ねじりコイルばね９３が後側カバー２７及び第２係合部材９２によって支持された状態における第１アーム部５３と第２アーム部５４とのなす角の角度は、ねじりコイルばね９３が後側カバー２７及び第２係合部材９２によって支持されておらず外部から如何なる力も付与されていない状態（自然状態）における第１アーム部５３と第２アーム部５４とのなす角の角度よりも小さい。これにより、ねじりコイルばね９３が後側カバー２７及び第２係合部材９２によって支持された状態において、ねじりコイルばね９３には、第１アーム部５３及び第２アーム部５４が自然状態に戻ろうとする弾性力が作用する。この弾性力によって、第ねじりコイルばね９３が後側カバー２７及び第２係合部材９２によって支持された状態において、第１アーム部５３は第２係合部材９２を第１係合部材９１側へ押す。つまり、ねじりコイルばね９３は、第２係合部材９２を第１係合部材９１側へ付勢する。
【００６５】
［第２係合部材９２及びねじりコイルばね９３の取り付け手順］
以下、第２係合部材９２及びねじりコイルばね９３がパネル筐体７０に組み付けられる手順が説明される。
【００６６】
第１の手順として、第２係合部材９２がパネル筐体７０に組み付けられる。詳細には、パネル筐体７０に設けられた突起８４が第２係合部材９２の凹部９９に挿入され、次に、第２係合部材９２の凸部９８がパネル筐体７０の切り欠き８５に嵌合される。これにより、第２係合部材９２は、図３に示されるように、パネル筐体７０における凸部７８と凸部７９（図４参照）との間に、第２回動軸線８８（図６参照）周りに回動可能に支持される。
【００６７】
第２の手順として、パネル筐体７０の当接部９４がねじりコイルばね９３のコイル部５２に挿入されるとともに、ねじりコイルばね９３の第１アーム部５３が第２係合部材９２の溝部９６に挿入される。この第２の手順の完了時において、ねじりコイルばね９３は、外部から力を付与されていない自然状態である。
【００６８】
第３の手順として、ねじりコイルばね９３の第２アーム部５４が支持部９０に引っ掛けられる。ここで、第２の手順の完了時において、第２アーム部５４の直交方向６における位置は、支持部９０よりも第２係合部材９２から離間した位置である。そのため、第３の手順において第２アーム部５４を支持部９０側へ動かすと、第２アーム部５４には元の位置に戻ろうとする弾性力が発生する。しかし、この段階では、当接部９４がコイル部５２に挿入され且つ第１アーム部５３が溝部９６に挿入された状態であるため、第２アーム部５４を弾性力に抗って支持部９０に引っ掛けることは組立作業者にとってさほど困難ではない。
【００６９】
以上のようにして、第２係合部材９２及びねじりコイルばね９３がパネル筐体７０及び第１係合部材９１に組み付けられる。
【００７０】
［実施形態の効果］
本実施形態によれば、上述したような手順で第２係合部材９２及びねじりコイルばね９３がパネル筐体７０に組み付け可能である。つまり、第１の手順として、第２係合部材９２がパネル筐体７０に組み付けられる。これにより、第１の手順においては、ねじりコイルばね９３によって負荷を受けることなく、第２係合部材９２をパネル筐体７０に組み付けることができる。
【００７１】
第２の手順として、ねじりコイルばね９３のコイル部５２がパネル筐体７０の当接部９４に当接されるとともに、ねじりコイルばね９３の第１アーム部５３が第２係合部材９２に当接される。
【００７２】
第３の手順として、ねじりコイルばね９３の第２アーム部５４が支持部９０に支持される。第３の手順において第２アーム部５４を支持部９０に支持させるために動かすと、第２アーム部５４には元の位置に戻ろうとする弾性力が発生する。しかし、この段階では、ねじりコイルばね９３は当接部９４及び第２係合部材９２と当接された状態、つまりパネル筐体７０及び第２係合部材９２の間に取り付けられた状態であるため、第２アーム部５４を弾性力に抗って支持部９０に支持させることは組立作業者にとってさほど困難ではない。
【００７３】
以上のように、本実施形態によれば、第２係合部材９２及びねじりコイルばね９３をパネル筐体７０に容易に組み付けることができる。
【００７４】
また、本実施形態によれば、ねじりコイルばね９３は、回動する第２係合部材９２に弾性力を作用させて付勢するために好適な部材である。また、パネル筐体７０は、コイル部５２に当接部９４が挿通されることによって、ねじりコイルばね９３を容易に支持可能である。
【００７５】
また、本実施形態によれば、第２アーム部５４が第１アーム部５３よりも長いため、上述した第３の手順において、第２アーム部５４を弾性力に抗って曲げつつ支持部９０に支持させることが容易である。
【００７６】
また、本実施形態によれば、第１アーム部５３が第２係合部材９２に当接した状態において、第１アーム部５３を溝部９６に挿入させることができるため、ねじりコイルばね９３の位置が第２係合部材９２に対してずれることを防止できる。これにより、ねじりコイルばね９３の第２係合部材９２に対する作用点の位置を正確に定めることができる。
【００７７】
また、本実施形態によれば、溝部９６が第２回動軸線８８と交差する位置に設けられているため、左右方向９において、第２係合部材９２とねじりコイルばね９３のコイル部５２及び第１アーム部５３とが互いに近い位置に設けられる。つまり、第２係合部材９２とねじりコイルばね９３とを互いに近い位置に配置できる。その結果、パネル筐体７０を左右方向９において小型化することができる。
【００７８】
また、本実施形態によれば、当接部９４及び支持部９０が左右方向９に沿って配置されているため、第２アーム部５４が第１回動軸線８７と略平行な方向に延びた状態で保持される。そのため、ねじりコイルばね９３が支持されたパネル筐体７０を、直交方向６において小型化することができる。
【００７９】
また、本実施形態によれば、当接部９４の左右方向９の位置が第２回動軸線８８と異なるため、ねじりコイルばね９３を組み付ける際に、第１アーム部５３が直交方向６と平行となるような状態で、コイル部５２を当接部９４に当接させることができるように、パネル装置６０を構成することができる。そうすると、上述した第２の手順時に、ねじりコイルばね９３が第２係合部材９２を直交方向６においてプリンタ筐体１４側へ押してしまうことによって、第２係合部材９２がパネル筐体７０から外れてしまうことを防止できる。
【００８０】
［変形例］
上述の実施形態では、第２係合部材９２を第１係合部材９１側へ付勢させるための付勢部材として、ねじりコイルばね９３が用いられたが、上記付勢部材は、ねじりコイルばね９３に限らない。
【００８１】
例えば、上記付勢部材として、屈曲した板ばね１００が用いられてもよい。板ばね１００は、図１０（Ｂ）に示されるように、上述の実施形態におけるコイル部５２の代わりに屈曲した屈曲部１０２（本発明の被当接部の一例）を備えている。そして、第１アーム部５３は屈曲部１０２の一端から延びており、第２アーム部５４は屈曲部１０２の他端から第１アーム部５３と異なる向きへ延びている。板ばね１００の屈曲部１０２は、当接部９４の側面に引っ掛けられるようにして当該側面に当接している。
【符号の説明】
【００８２】
１０・・・複合機
１２・・・プリンタ部
１４・・・プリンタ筐体
５２・・・コイル部
５３・・・第１アーム部
５４・・・第２アーム部
７０・・・パネル筐体
８７・・・第１回動軸線
８８・・・第２回動軸線
９０・・・支持部
９１・・・被係合部材
９２・・・係合部材
９３・・・ねじりコイルばね
９４・・・当接部
９５・・・凹部
【図１】
2015174341.tif 000003
【図２】
2015174341.tif 000004
【図３】
2015174341.tif 000005
【図４】
2015174341.tif 000006
【図５】
2015174341.tif 000007
【図６】
2015174341.tif 000008
【図７】
2015174341.tif 000009
【図８】
2015174341.tif 000010
【図９】
2015174341.tif 000011
【図１０】
2015174341.tif 000012